(57)【要約】  本発明は、接合ディスプレイ間の継ぎ目を取り除く方法であって、原始画像を採取し、採取した画像を後のステップＢにおける画像平行移動に適用するステップＡと、採取した画像を継ぎ目位置へ平行移動するステップＢと、平行移動された画像を原始画像に還元するステップＣとを含む方法を提供する。本発明は、接合ディスプレイ間の継ぎ目を取り除く装置であって、原始画像を採取し、採取した画像を画像平行移動モジュールに伝送する画像採取モジュールと、受信した画像を継ぎ目位置へ平行移動して、平行移動された画像が継ぎ目をカバーできるようにする画像平行移動モジュールと、画像平行移動モジュールから平行移動された画像を受信し、当該画像を原始画像に還元する画像還元モジュールと、を備えることを特徴とする装置をさらに提供する。
2008521035.tif 000002
【特許請求の範囲】
【請求項１】
接合ディスプレイ間の継ぎ目を取り除く方法であって、
原始画像を採取し、採取した画像を後続のステップＢにおける画像平行移動に適用するステップＡと、
採取した画像を継ぎ目位置へ平行移動するステップＢと、
平行移動された画像を原始画像に還元するステップＣとを含む方法。
【請求項２】
請求項１に記載する方法であって、
前記ステップＡには、ディスプレイに表示された原始画像を画素点毎に分割し、提供する光ファイバ装置における光ファイバの第１端部が、分割された各画素のうちそれと対応する画素を採取するステップを含み、
ステップＢには、採取された画素を傾斜した光ファイバの第１端部を介して光ファイバの第２端部に伝送し、ディスプレイに表示している画像を継ぎ目位置に平行移動させるステップを含み、
ステップＣには、各光ファイバの第２端部から出射された画素を合併し、原始画像を還元・取得するステップを含むことを特徴とする方法。
【請求項３】
請求項２に記載する方法であって、
ステップＡには、
各ディスプレイにされた原始画像をそれぞれの画素点に分割し、光ファイバ装置における光ファイバのの数量を確定するステップＡ１１と、
前記の確定した数量の光ファイバ装置における光ファイバをディスプレイの継ぎ目位置に向かって所定角度だけ傾斜させ、前記所定角度を、当該傾斜した光ファイバによって画像を継ぎ目位置へ平行移動して継ぎ目をカバーできるような角度にするステップＡ１２とを含むことを特徴とする方法。
【請求項４】
請求項３に記載する方法であって、
ステップＡ１１には、当該光ファイバ装置における光ファイバのの数量を確定し、各光ファイバが１つ又は複数の画素点に対応するようにするステップを含むことを特徴とする方法。
【請求項５】
請求項３に記載する方法であって、
ステップＡ１１には、当該光ファイバ装置における光ファイバの数量を確定し、複数の光ファイバが１つの画素点に対応するようにするステップを含むことを特徴とする方法。
【請求項６】
請求項３に記載する方法であって、
ステップＡ１２には、光ファイバ装置における各光ファイバを併合して、それぞれの併合された光ファイバはその間の接触面を介して互いに接着され、併合された各光ファイバの第１端部を固定した状態に保持したまま、第２端部全体を継ぎ目位置に向けて移動して、それぞれ二つのディスプレイに対応している光ファイバの第２端部を接着することにより、第２端部からなる１つの平面を形成し、当該平面がディスプレイ間の継ぎ目をカバーできるようにするステップを含み、光ファイバのディスプレイに近い側の端部を第１端部とし、光ファイバのディスプレイから離れた側の端部を第２端部とすることを特徴とする方法。
【請求項７】
請求項３に記載する方法であって、
ステップＡ１２には、光ファイバ装置における各光ファイバを併合して、それぞれの併合された光ファイバはその間の接触面を介して互いに接着され、併合された各光ファイバの第１端部を固定した状態に保持したまま、光ファイバを折り線形として折り畳み、当該折り畳みを利用することで、二つのディスプレイの光ファイバの第２端部を接合して形成された平面がディスプレイ間の継ぎ目をカバーできるようにするステップを含み、光ファイバのディスプレイに近い側の端部を第１端部とし、光ファイバのディスプレイから離れた側の端部を第２端部とすることを特徴とする方法。
【請求項８】
請求項３に記載する方法であって、
ステップＡ１２には、ディスプレイ間の継ぎ目の大きさを確定し、光ファイバ装置の光ファイバの第１端部を固定したまま、当該継ぎ目の大きさに応じて光ファイバ装置において各光ファイバの第２端部間の距離を大きくして、当該光ファイバ装置の光ファイバの第２端部からなる平面がディスプレイ間の継ぎ目をカバーできるようにするステップを含み、光ファイバのディスプレイに近い側の端部を第１端部とし、光ファイバのディスプレイから離れた側の端部を第２端部とすることを特徴とする方法。
【請求項９】
請求項８に記載する方法であって、
前記の当該継ぎ目の大きさに応じて光ファイバ装置において各光ファイバの第２端部間の距離を大きくすることが、同じピッチで行われることを特徴とする方法。
【請求項１０】
請求項８に記載する方法であって、
前記の当該継ぎ目の大きさに応じて光ファイバ装置において各光ファイバの第２端部間の距離を大きくすることが、異なるピッチで行われることを特徴とする方法。
【請求項１１】
請求項８に記載する方法であって、
前記の光ファイバ装置の光ファイバの第１端部を固定したまま、当該継ぎ目の大きさに応じて光ファイバ装置において各光ファイバの第２端部間の距離を大きくすることが、
グループとなる光ファイバの第１端部を束となるように縛り付け、太さ均一な材料を各光ファイバの第２端部から各光ファイバの間隔に嵌め込み、元の束となる光ファイバとは９０度となるようにして、当該束となる光ファイバを接着剤池に置いて、光ファイバ間の隙間に接着剤を浸透させることで、各光ファイバを互いに接着させ、接着剤が硬化した後、除去しようとする継ぎ目の幅に応じて、当該束となる光ファイバを切り取って、所定の大きさの各光ファイバの第２端部間の距離を取得することを特徴とする方法。
【請求項１２】
請求項１１に記載する方法であって、
前記光ファイバにより画像の各画素を伝送して、伝送された画素点間のピッチが増大され、各画素自身が伝送されても特性が変化しないようにすることを特徴とする方法。
【請求項１３】
請求項１に記載する方法であって、
ステップＡに記載する原始画像を採取することには、光学素子の各平行移動手段の入射端の形状に応じて、接合するディスプレイに表示している原始画像を分割し、各平行移動手段の入射端によってそれと対応する分割画像をそれぞれ採取するステップを含み、
ステップＢには、分割された画像がそれぞれ相応の平行移動手段の入射端を介して平行移動手段に入射され、前記の分割画像の入射光が、平行移動手段にて偶数回の全反射が発生し、それぞれ接合するディスプレイ間の継ぎ目位置へ平行移動されて、各接合ディスプレイの分割された画像をそれぞれディスプレイ間の継ぎ目位置へ平行移動されるようにするステップを含み、
ステップＣには、各平行移動手段にて平行移動された分割画像を合併して原始画像に還元するステップを含むことを特徴とする方法。
【請求項１４】
請求項１３に記載する方法であって、
前記のステップＢにおける、各接合するディスプレイの分割された画像をそれぞれディスプレイ間の継ぎ目位置へ平行移動することには、
第１接合ディスプレイの分割された画像をディスプレイ間の継ぎ目方向に第１平行移動距離だけ平行移動し、第２接合ディスプレイの分割された画像をディスプレイ間の継ぎ目方向に第２平行移動距離だけ平行移動するステップを含み、当該第１平行移動距離と第２平行移動距離との和が前記継ぎ目の幅以上となることを特徴とする方法。
【請求項１５】
請求項１３に記載する方法であって、
前記の入射光を平行移動することには、入射光をｘ軸方向に沿って平行移動することを含むことを特徴とする方法。
【請求項１６】
請求項１３に記載する方法であって、
前記の入射光を平行移動することには、入射光をｘ軸及び／又はｙ軸方向に沿って平行移動することを含むことを特徴とする方法。
【請求項１７】
請求項１に記載する方法であって、
ステップＡに記載する、原始画像を採取することには、
原始画像において継ぎ目に近い側の平行移動しようとする部分画像を切り取って、切り取らない残りの部分画像を継ぎ目位置へ切り取られた画像の幅の距離だけ平行移動し、切り取られた画像を画像の継ぎ目位置から離れた側に接合し、光学素子における平行移動手段により現在位置にある画像を採取するステップを含み、
ステップＢには、
前記の切り取られて継ぎ目から離れた側に画像と接合する画像が、それと対応する光学素子の一方の平行移動手段に入射され、全反射原理によって、当該切り取られた画像が、光学素子に偶数回全反射され、光学素子の他方の平行移動手段から入射時と同じ方向で出射される一方、切り取られない部分の画像が、ステップＡに記載する現在位置から光学素子に入射し、直線伝送されて光学素子から出射されるステップを含み、
ステップＣには、
平行移動された切り取り画像を切り取らない部分の画像と合併して原始画像に還元するステップを含むことを特徴とする方法。
【請求項１８】
請求項１７に記載する方法であって、
各接合ディスプレイの前記切り取り部分の幅の総計が、前記継ぎ目の幅以上となることを特徴とする方法。
【請求項１９】
請求項１３又は１７に記載する方法であって、
前記の偶数回の全反射が、２回であることを特徴とする方法。
【請求項２０】
請求項１７に記載する方法であって、
表示アダプターの表示の開始アドレス及び終了アドレスを変更することで、前記の原始画像の部分画像に対する切り取りと、画像において切り取らない部分及び切り取られた部分に対する画像平行移動とを実現することを特徴とする方法。
【請求項２１】
請求項１３又は１４に記載する方法であって、
ステップＣにて画像を合併して原始画像に還元し取得することには、
フィルタ処理を介して分割画像間の分割継ぎ目を取り除くことをさらに含むことを特徴とする方法。
【請求項２２】
接合ディスプレイ間の継ぎ目を取り除く装置であって、
原始画像を採取し、採取した画像を画像平行移動モジュールに伝送する画像採取モジュールと、
受信した画像を継ぎ目位置へ平行移動して、平行移動された画像が継ぎ目をカバーできるようにする画像平行移動モジュールと、
画像平行移動モジュールから平行移動された画像を受信し、当該画像を原始画像に還元する画像還元モジュールと、を備える装置。
【請求項２３】
請求項２２に記載する装置であって、
前記画像採取モジュールが、光ファイバ装置における各傾斜した光ファイバのディスプレイに近い側の第１端部であり、前記画像平行移動モジュールが、光ファイバ装置における各傾斜した光ファイバの伝送部分であり、前記画像還元モジュールが、光ファイバ装置における各傾斜した光ファイバのディスプレイから離れた側の第２端部であることを特徴とする装置。
【請求項２４】
請求項２２に記載する装置であって、
前記画像平行移動モジュールが光ファイバ装置であり、前記画像採取モジュールと画像還元モジュールがそれぞれ個別な装置であることを特徴とする装置。
【請求項２５】
請求項２２に記載する装置であって、
前記画像採取モジュールが個別な装置であり、前記画像平行移動モジュールと画像還元モジュールが光ファイバ装置であることを特徴とする装置。
【請求項２６】
請求項２２に記載する装置であって、
前記画像還元モジュールが個別な装置であり、前記画像平行移動モジュールと画像採取モジュールが光ファイバ装置であることを特徴とする装置。
【請求項２７】
請求項２２に記載する装置であって、
画像平行移動モジュールが、傾斜した光ファイバ全体からなる光ファイバ装置であり、
前記画像採取モジュール及び／又は画像還元モジュールが、ソフトウェアモジュール又は光学素子であることを特徴とする装置。
【請求項２８】
請求項２３〜２７の何れかに記載する装置であって、
前記光ファイバ装置では、光ファイバ装置の各光ファイバの第１端部が、接合した二つのディスプレイと接触し、第１端部からなる平面がディスプレイに表示している画像全体をカバーできるようにし、直線となる光ファイバの伝送部分間のピッチが一定に保持されたまま、それら同士が接触を介して互いに接着されて接続され、各光ファイバの第２端部が、それぞれ継ぎ目位置に向かって傾斜して、第２端部からなる平面が少なくとも継ぎ目をカバーできるようにし、
光ファイバのディスプレイに近い側の端部を第１端部とし、光ファイバのディスプレイから離れた側の端部を第２端部とすることを特徴とする装置。
【請求項２９】
請求項２３〜２７の何れかに記載する装置であって、
前記光ファイバ装置では、光ファイバ装置の各光ファイバの第１端部が、接合した二つのディスプレイと接触して、第１端部からなる平面がディスプレイに表示している画像全体をカバーできるようにし、次第に変化して湾曲された光ファイバの伝送部分間のピッチが一定に保持されたまま、それら同士が接触を介して互いに接着されて接続され、各光ファイバの第２端部が、それぞれ継ぎ目位置に向かって傾斜して、第２端部からなる平面が少なくとも継ぎ目をカバーできるようにし、
光ファイバのディスプレイに近い側の端部を第１端部とし、光ファイバのディスプレイから離れた側の端部を第２端部とすることを特徴とする装置。
【請求項３０】
請求項２９に記載する装置であって、
前記の次第に変化して湾屈された光ファイバが、直線形式又は曲線形式で湾曲された光ファイバであることを特徴とする装置。
【請求項３１】
請求項２３〜２７の何れかに記載する装置であって、
前記光ファイバ装置では、光ファイバ装置の各光ファイバの第１端部が、接合した二つのディスプレイと接触して、第１端部からなる平面がディスプレイに表示している画像全体をカバーできるようにし、光ファイバの伝送部分の他端となる光ファイバの第２端部からなる平面が継ぎ目をカバーできるように直線形式の各光ファイバの伝送部分間のピッチを大きくして、光ファイバの伝送部分同士が接触を介して互いに接着されて接続され、
光ファイバのディスプレイに近い側の端部を第１端部とし、光ファイバのディスプレイから離れた側の端部を第２端部とすることを特徴とする装置。
【請求項３２】
請求項２２又は３３に記載する装置であって、
各ディスプレイのそれぞれが、１つの光ファイバ装置を備えることを特徴とする装置。
【請求項３３】
請求項２３に記載する装置であって、
前記の光ファイバ装置が、各接合したディスプレイに応用される一体化された光ファイバ装置であることを特徴とする装置。
【請求項３４】
請求項２２に記載する装置であって、
前記画像平行移動モジュールが、それぞれの平行移動手段からなる光学素子であり、各平行移動手段が、全反射原理によって入射光を継ぎ目位置へ平行移動することができ、
前記画像採取モジュールが、前記平行移動手段の断面形状を単位とし原始画像を分割し採取して、採取した分割画像を対応する平行移動手段に伝送し、
画像平行移動モジュールにおける各平行移動手段が、各分割画像をそれぞれ継ぎ目位置へ平行移動し、
画像還元モジュールが、各平行移動手段で平行移動されて出力された各分割画像を受信し、これらの分割画像を合併して原始画像に還元し取得することを特徴とする装置。
【請求項３５】
請求項２２に記載する装置であって、
前記画像採取モジュールが、原始画像において継ぎ目に近い部分画像を切り取ることと、原始画像において切り取らない部分の画像を継ぎ目位置へ切り取られた画像の幅だけ移動することと、切り取られた画像を原始画像の継ぎ目から離れた側に平行移動して接合することとに用いられ、
前記画像平行移動モジュールが、両側が平行移動手段を有する一体化の光学素子であり、当該平行移動手段を利用して前記切り取られた画像を、継ぎ目位置へ原始画像の幅から切り取られた画像部部分の幅を減算した距離だけ平行移動し、当該一体化の光学素子の残り部分が、原始画像において切り取られて平行移動されていない部分の画像を、そのまま画像還元モジュールに伝送し、
画像還元モジュールが、切り取られて平行移動される画像を切り取らない画像と合併することを特徴とする装置。
【請求項３６】
請求項３４又は３５に記載する装置であって、
前記平行移動手段の断面形状が菱形であり、当該菱形の鋭角が４５度であり、菱形の辺の長さは前記平行移動手段が画像を移動する距離と等しいことを特徴とする装置。
【請求項３７】
請求項３６に記載する装置であって、
前記菱形の形状が、二つの直角二等辺三角形が接合されてなる形状であることを特徴とする装置。
【請求項３８】
請求項３４又は３５に記載する装置であって、
前記光学素子の材料及び形状が、できるだけ小さい臨界角Ｃを取得できるようにすることを特徴とする装置。
【請求項３９】
請求項３４又は３５に記載する装置であって、
前記平行移動手段が、入射光線をその中で偶数回全反射させることができる平行移動手段であることを特徴とする装置。
【請求項４０】
請求項３４又は３５に記載する装置であって、
前記の平行移動手段が、斜め菱形の柱状体であることを特徴とする装置。
【請求項４１】
請求項３４又は３５に記載する装置であって、
前記平行移動手段が、ディスプレイ自身と一体化されることを特徴とする装置。
【請求項４２】
請求項２２に記載する装置であって、
前記画像還元モジュールが、前記合併した画像をフィルタリングして分割継ぎ目を取り除くフィルタ処理モジュールをさらに含むことを特徴とする装置。
【請求項４３】
請求項４２に記載する装置であって、
前記フィルタ処理モジュールが、高域遮断フィルタであることを特徴とする装置。
【請求項４４】
請求項４３に記載する装置であって、
前記高域遮断フィルタが薄膜であることを特徴とする装置。
【発明の詳細な説明】
【技術分野】
【０００１】
本発明は、画像表示の技術分野に属し、特に、接合ディスプレー間の継ぎ目を取り除く方法及び装置に関する。
【背景技術】
【０００２】
現在、電子情報技術の進歩につれて、多くのパーソナルコンピュータ（以下、「パソコン」という）は小型化の方向に発展しつつある。小型化と共に、パソコンのデータ処理能力も強化され、パソコンが処理できるデータタイプも広汎になっている。人々は、小型の携帯式パソコンを用いて大型のデータに対する処理、記憶及び統合という作業を行うことができ、日常の仕事と生活を大いに便利なものとしている。例えば、ノート型パソコンを用いて株式情報、地図データ、及び画像データを処理し、処理結果に基づいてディスプレイに表示することができる。しかしながら、パソコンの小型化に伴って、必然的にそのディスプレイのサイズの大幅な縮小が招来され、当該縮小されたディスプレイは表示品質の要求を満たすことができず、ノート型パソコンを介して相応の情報を詳しく取得できないという不便を使用者にもたらしている。例えば、使用者が、ノート型パソコンを介して地図データをダウンロードする場合、ディスプレイが小さいので、当該ディスプレイを介して必要とする大量の情報を含む地図、例えば、大まかな位置を確定する全体図とルートを表示する局部詳細図を、明瞭に取得することができない。また、例えば、使用者が、ノート型パソコンを介して株式データを処理しようとすると、当該ディスプレイが小さいので、相応する大量の株式情報、例えば、株式相場の全体傾向や個別株式情報を明瞭に取得することができない。なお、パソコンにおける、例えばビデオなどのマルチメディアデータに対する処理能力が強化され、使用者はパソコンなどのような携帯式デバイスを用いてビデオ再生を行うことが可能であるが、これらの携帯式デバイスは充分なビデオデータ処理能力を有しているにも拘わらず、そのディスプレイのサイズの制限によって、大スクリーンが提供できる視覚享受を視聴者に提供することができず、携帯式装置のビデオデータ再生能力が低下せしめられている。また、パソコンを用いて工程図の作図及びマルチウインドウ操作を行う場合に、使用者の実際の使用を便利にするために、大きいサイズのディスプレイが必要とされる。
【０００３】
このように、従来のパソコンの小型化には、機器全体の縮小と大スクリーンによる表示の需要という矛盾がある。現在、ディスプレイ接合技術を利用して当該矛盾を解決することが一般的であり、複数のディスプレイを接合することで、装置サイズを増大することなくディスプレイのサイズを増大させるという目的を達成している。また、実際の応用において、大型の表示が必要とされている場合も多くある。例えば、空港、鉄道の駅、競技場、大型展示場等がある。このような場合には、遠く離れた人々に相応の情報を提供するため、サイズの大きいディスプレイを利用する必要があるが、製造に際しては、ブラウン管の製造コスト及び生産の難度が需要サイズの増加に伴って大幅に上昇するので、大型表示が必要とされる場合には、同様にディスプレイ接合技術が必要とされている。
【０００４】
従来技術において、ディスプレイ接合技術としては、ＣＲＴブラウン管接合、ＬＣＤ接合及びプロジェクタ接合がある。プロジェクタは、環境光線に対する要求がかなり厳しいので、環境光線の強い場所では画像を明瞭に見ることができず、室内にしか適用できず、その応用範囲が狭い。ＣＲＴブラウン管接合及びＬＣＤ接合に対して、その主な課題は、接合されたディスプレイを如何に近接したものにしたとしても、接合の際にディスプレイ間に継ぎ目ができてしまうことにある。具体的には下記の通りである。
【０００５】
ＣＲＴは、電子をブラウン管の内表面の蛍光板に出射することで表示を行うものであり、そのブラウン管は、所定厚さのガラスケースで形成され、内部は脱気して真空とされており、強度を保証するためにガラスケースが所定厚さを有している必要がある。このためＣＲＴブラウン管の周縁を縮小することができず、その最小幅はガラスケースの厚さとなり、一般的に当該最小幅は５ミリである。
【０００６】
ＬＣＤは、電圧の作用によって色と階調を変更できる液晶を小空間に充填し、このような多数の小空間を行列に配列してディスプレイ全体が構成されている。液晶の漏洩を防止するために、ＬＣＤの周縁はバウンド材により保護され、当該周縁の幅は、一般的に５ミリ以上である。
【０００７】
したがって、ＣＲＴ及びＬＣＤのそれぞれは周縁幅を有するので、ディスプレイの接合に際して継ぎ目の出現を回避できない。当該課題を解決するために、従来技術においては、下記の技術手段を採用して継ぎ目を取り除いている。
【０００８】
方案１：
図１Ａ〜１Ｃに示すように、二つのディスプレイの周縁においてデジタル及び光学画像処理方法を採用し、ディスプレイ周縁部の画像を所定比例に従って縮小して、当該縮小された画像を光学レンズによって拡大し、同時にディスプレイの他の部分の画像をそのまま維持し、拡大された画像を継ぎ目にて造成された隙間にはめ込む。
【０００９】
ここで、図中の１４０は光学レンズであり、図１Ａ、図１Ｂ及び図１Ｃは、それぞれ異なる形状や構造の光学ガラスを採用しており、これらの光学ガラスは、全てその周縁部による光線に対する屈折作用により画像の拡大という目的を達成している。３０はディスプレイであり、二つのディスプレイ３０間の濃色部分はディスプレイ間の継ぎ目である。図１Ａ〜１Ｃに示すように、光学レンズを介する光線が屈折されて、周縁部分の画像が拡大されるので、視認できる継ぎ目の幅は大きく減少される。このような方法は、継ぎ目の幅を減少させることができるが、当該方法には以下の欠陥がある。
【００１０】
（１）当該方案は、継ぎ目の幅を減少させることができるが、継ぎ目を完全に除去することができない。当該方案を採用しても、ディスプレイの周縁は依然として視認でき、それが形成した継ぎ目の幅は約１ミリ程度ある。これは、大スクリーン表示に対しては受け入れられるかもしれないが、携帯式装置の小さいスクリーンを接合する場合には受け入れることが難しい。小さいスクリーンを接合する場合には、一般的に携帯式装置を接合し、使用者の目が携帯式装置のディスプレイからそんなに遠く離れていないので、小さい継ぎ目であっても極めて明らかに視認でき、それによって画像品質は破壊され、さらなる使用者の不満を招くからである。
【００１１】
（２）当該方案の採用において、ディスプレイに搭載される光学ガラスレンズの厚さが大きいので、ディスプレイの体積と重量が増加し、その携帯性を低下させる。例えば、二つのＬＣＤを接合すれば、その継ぎ目の幅が１０ミリとなり、上面の光学ガラス厚さが２５ミリとなり、当該厚さの光学ガラスは、ディスプレイの体積と重量を大きく増加させ、携帯の不便を招いてしまう。
【００１２】
（３）当該方案は、画像周縁に対して圧縮と拡大処理を行う必要があるので、画像自身を損なってしまう。
【００１３】
また、当該方案では、圧縮及び拡大処理を行うべき周縁画像の面積を精確に計算する必要があるので、当該方案の実現を複雑なものとし、実際の応用には不利となる。
【００１４】
方案２：
フレネルレンズ（ＦＲＥＮＳＮＡＬ  ＬＥＮＳ）を使用して継ぎ目の除去を実現する。当該方案では、フレネルレンズが各表示スクリーンの画像を所定の倍率に従って拡大し、二つのディスプレイ間の継ぎ目を覆い隠す。図２Ａにおいて、２０は二つの接合された表示スクリーン、１１はフレネルレンズ、１２は感圧板、１３は湾曲可能な薄膜である。当該方法は継ぎ目を取り除くことができるが、以下のような欠陥がある。
【００１５】
（１）適当な拡大倍数を取得するため、フレネルレンズはディスプレイ２０から所定距離だけ離れていなければならず、そうでないと画像を拡大できない。これより、ディスプレイは厚くなり、ディスプレイの体積が増加し、当該方法で構成された装置の携帯性が低下する。
【００１６】
（２）フレネルレンズは、当該レンズを介する光線を湾曲させて回折現象を発生し、拡大鏡の効果を形成するため、その表面に極めて小さい千鳥形同心円のストライプを密集形成しなければならず、当該ストライプは画像に一定の損害をもたらし、画像の品質を低下させる。
【００１７】
また、フレネルレンズの加工コストが高いので、高い価格も実際の応用に影響している。
【００１８】
方案３：
図２Ｂに示すように、大スクリーン応用の方面には、０１２１５９００．Ｘ号の従来技術がある。光ファイバ伝送拡大表示の装置を採用しており、採光口に導光ファイバ３を採用し、他端が円弧状発光ヘッド２内に延びて各光ファイバにて伝送された画像を拡大するものである。ここで、１は支持フレーム、４は光ファイバ支持体であり、中間部分の光ファイバ間を浮いた状態にしている。当該方法は、画像を拡大するある種の表示に適用されるが、体積が大きい。
【発明の開示】
【発明が解決しようとする課題】
【００１９】
本発明は上記問題点に鑑みてなされたものであり、ディスプレイ間の継ぎ目を完全に取り除くことができ、画像に損害を与えることがなく、且つディスプレイの体積及び厚さが大きく増加しない、接合ディスプレイ間の継ぎ目を取り除く方法及び装置を提供することを目的とする。
【００２０】
前記の目的を実現するため、本発明の一側面によると、接合ディスプレイ間の継ぎ目を取り除く方法であって、原始画像を採取し、採取した画像を後続のステップＢにおける画像平行移動に適用するステップＡと、採取した画像を継ぎ目位置へ平行移動するステップＢと、平行移動された画像を原始画像に還元するステップＣとを含む方法を提供する。
【００２１】
本発明の一側面によると、前記ステップＡには、ディスプレイに表示された原始画像を画素点毎に分割し、提供する光ファイバ装置における光ファイバの第１端部が、分割された各画素のうちそれと対応する画素を採取するステップを含み、ステップＢには、採取された画素を傾斜した光ファイバの第１端部を介して光ファイバの第２端部に伝送し、ディスプレイに表示している画像を継ぎ目位置に平行移動させるステップを含み、ステップＣには、各光ファイバの第２端部から出射された画素を合併し、原始画像を還元・取得するステップを含む。
【００２２】
本発明の一側面によると、ステップＡには、各ディスプレイに表示された原始画像をそれぞれの画素点に分割し、光ファイバ装置における光ファイバの数量を確定するステップと、前記の確定した数量の光ファイバ装置における光ファイバをディスプレイの継ぎ目位置に向かって所定角度だけ傾斜させ、前記角度を、当該傾斜した光ファイバによって画像を継ぎ目位置へ平行移動して継ぎ目をカバーできるような角度にするステップとを含む。
【００２３】
本発明の他の側面によると、接合ディスプレイ間の継ぎ目を取り除く装置であって、原始画像を採取し、採取した画像を画像平行移動モジュールに伝送する画像採取モジュールと、受信した画像を継ぎ目位置へ平行移動して、平行移動された画像が継ぎ目をカバーできるようにする画像平行移動モジュールと、画像平行移動モジュールから平行移動された画像を受信し、当該画像を原始画像に還元する画像還元モジュールと、を備える装置を提供する。
【００２４】
本発明の他の側面によると、前記画像採取モジュールは、光ファイバ装置における各傾斜した光ファイバのディスプレイに近い側の第１端部であり、前記画像平行移動モジュールは、光ファイバ装置における各傾斜した光ファイバの伝送部分であり、前記画像還元モジュールは、光ファイバ装置における各傾斜した光ファイバのディスプレイから離れた側の第２端部である。
【００２５】
本発明の他の側面によると、前記画像平行移動モジュールは光ファイバ装置であり、前記画像採取モジュールと画像還元モジュールはそれぞれ個別な装置である。
【００２６】
本発明の他の側面によると、前記画像採取モジュールは個別な装置であり、前記画像平行移動モジュールと画像還元モジュールは光ファイバ装置である。
【００２７】
本発明の他の側面によると、前記画像還元モジュールは個別な装置であり、前記画像平行移動モジュールと画像採取モジュールは光ファイバ装置である。
【００２８】
本発明の他の側面によると、画像平行移動モジュールは傾斜した光ファイバ全体からなる光ファイバ装置であり、前記画像採取モジュール及び／又は画像還元モジュールはソフトウェアモジュール又は光学素子である。
【００２９】
本発明の他の側面によると、前記光ファイバ装置では、光ファイバ装置の各光ファイバの第１端部が、接合した二つのディスプレイと接触し、第１端部からなる平面がディスプレイに表示している画像全体をカバーできるようにし、直線となる光ファイバの伝送部分間のピッチが一定に保持されたまま、それら同士が接触を介して互いに接着されて接続され、各光ファイバの第２端部が、それぞれ継ぎ目位置に向かって傾斜して、第２端部からなる平面が少なくとも継ぎ目をカバーできるようにし、光ファイバのディスプレイに近い側の端部を第１端部とし、光ファイバのディスプレイから離れた側の端部を第２端部とする。
【００３０】
本発明の他の側面によると、前記光ファイバ装置では、光ファイバ装置の各光ファイバの第１端部が、接合した二つのディスプレイと接触して、第１端部からなる平面がディスプレイに表示している画像全体をカバーできるようにし、次第に変化して湾曲された光ファイバの伝送部分間のピッチが一定に保持されたまま、それら同士が接触を介して互いに接着されて接続され、各光ファイバの第２端部が、それぞれ継ぎ目位置に向かって傾斜して、第２端部からなる平面が少なくとも継ぎ目をカバーできるようにし、光ファイバのディスプレイに近い側の端部を第１端部とし、光ファイバのディスプレイから離れた側の端部を第２端部とする。
【００３１】
本発明の他の側面によると、前記の次第に変化して湾曲された光ファイバは、直線形式又は曲線形式で湾曲された光ファイバである。
【００３２】
本発明の他の側面によると、前記光ファイバ装置では、光ファイバ装置の各光ファイバの第１端部が、接合した二つのディスプレイと接触して、第１端部からなる平面がディスプレイに表示している画像全体をカバーできるようにし、光ファイバの伝送部分の他端となる光ファイバの第２端部からなる平面が継ぎ目をカバーできるように直線形式の各光ファイバの伝送部分間のピッチを大きくして、光ファイバの伝送部分同士が接触を介して互いに接着されて接続され、光ファイバのディスプレイに近い側の端部を第１端部とし、光ファイバのディスプレイから離れた側の端部を第２端部とする。
【００３３】
本発明の他の側面によると、各ディスプレイのそれぞれは、１つの光ファイバ装置を備える。
【００３４】
本発明の他の側面によると、前記の光ファイバ装置は、各接合したディスプレイに応用される一体化された光ファイバ装置である。
【００３５】
本発明の他の側面によると、前記画像平行移動モジュールは、それぞれの平行移動手段からなる光学素子であり、各平行移動手段は、全反射原理によって入射光を継ぎ目位置へ平行移動することができ、前記画像採取モジュールは、前記平行移動手段の断面形状を単位とし原始画像を分割し採取して、採取した分割画像を対応する平行移動手段に伝送し、画像平行移動モジュールにおける各平行移動手段は、各分割画像をそれぞれ継ぎ目位置へ平行移動し、画像還元モジュールは、各平行移動手段で平行移動されて出力された各分割画像を受信し、これらの分割画像を合併して原始画像に還元し取得する。
【００３６】
このような本発明によれば、下記の有益な効果を奏する。
【００３７】
光ファイバ装置又は光学素子を採用することで画像をディスプレイ間の継ぎ目へ平行移動し、継ぎ目を完全に取り除くことができるとともに、平行移動プロセスにおいて画像品質に対して如何なる損傷も与えないし、採用する光ファイバ装置又は光学素子の体積は小さく重量も軽く、携帯装置自身の携帯性に影響を与えない。本発明は、低廉な材料だけで済み、実現方式が簡単で大規模且つ精確な計算が不要であり、様々な製品に迅速に応用でき、見る価値のある経済効果をもたらし得るものである。
【発明を実施するための最良の形態】
【００３８】
本発明は、接合ディスプレイ間の継ぎ目を取り除く方法及び装置であって、当該方法は、ディスプレイに表示された画像を継ぎ目位置に平行移動して、平行移動された画像が継ぎ目を覆い隠すことができるようにすることで、ディスプレイ自身のフレームによる継ぎ目を取り除くことである。当該装置は、まず原始画像を採取し、採取した画像を継ぎ目位置に平行移動し、そして、平行移動された採取画像を原始画像に還元することで、原始画像が継ぎ目を覆い隠すことができるようにする。
【００３９】
本発明は、相応する種々の方法を採用して実現することができる、例えば、図３に示された光ファイバ装置によりディスプレイ継ぎ目を取り除く方法であってもよいし、また図１０に示された光学素子によりディスプレイ継ぎ目を取り除く方法であってもよいが、本発明が前記方法に限定されないことは、当業者にとって明らかなことである。
【００４０】
以下、図面を参照しつつ本発明について詳しく説明する。
【００４１】
図３に示す通り、本発明において、接合ディスプレイ間の継ぎ目の除去を実現するには、以下のステップを実行する必要がある。
【００４２】
ステップ３０１：光ファイバ装置を提供し、当該光ファイバ装置における光ファイバを継ぎ目位置に向けて傾斜させることで、ディスプレイ間の継ぎ目が当該傾斜された光ファイバでカバーされ得るようにする。
【００４３】
ステップ３０２：傾斜した光ファイバを用いてディスプレイに表示されている画像を継ぎ目位置に向けて平行移動することで、継ぎ目位置は平行移動された画像によってカバーされ得るようにする。
【００４４】
実施例１
（一）ステップ３０１の具体的実現
本発明の一実施例において、もし二つのディスプレイのみを接合する場合を考慮するならば、図４に示すような光ファイバ装置を提供することができ、当該装置中の傾斜した光ファイバを用いて二つのディスプレイに表示されている画像をそれぞれ継ぎ目位置に向けて平行移動する。当該実施例において、ステップ３０１を実現するために以下のステップが必要とされる。
【００４５】
ステップ３０１１：光ファイバ装置中の光ファイバの数量を確定する。具体的には以下の通りである。
【００４６】
各ディスプレイに表示されている画像全体をそれぞれの画素点に分割し、光ファイバ装置中の光ファイバが分割された各画素を採取し、光ファイバ装置中の光ファイバに提供して、各光ファイバが１つの画素点又は複数の画素点に対応して伝送する。そのことから、当該光ファイバ装置中の光ファイバの数量を確定する。本発明の他の実施例においては、複数の光ファイバを１つの画素点に対応させて、光ファイバ装置中の光ファイバの数量を確定することもできる。このような方式によって光ファイバの数量を確定することは、本発明の実現に影響を与えない。
【００４７】
ステップＳ３０１２：確定された光ファイバの数量に基づいて、当該光ファイバ装置を提供し、当該光ファイバ装置中の光ファイバをディスプレイ継ぎ目位置に向けて傾斜させる。ここで、前記光ファイバを傾斜させる角度は、当該傾斜光ファイバを用いて画像を継ぎ目位置に向けて平行移動したら継ぎ目がカバーされるようなものにすべきである。説明の便宜のため、以下の説明においては、光ファイバのディスプレイ側に近い端部を光ファイバの第１端部とし、光ファイバのディスプレイ側から離れた端部を光ファイバの第２端部とする。本発明の実施例において、図４に示す方式によって光ファイバを継ぎ目位置に向けた傾斜を実現する。具体的には、以下の通りである。
【００４８】
光ファイバ装置中の各光ファイバを併合する。併合されたそれぞれの光ファイバはそれらの間の接触面を介して互いに接着され、併合された各光ファイバの第１端部を動かないように固定したまま、第２端部全体を継ぎ目位置に向けて移動し、それぞれが二つのディスプレイに対応している光ファイバの第２端部を一体となるように接着する。それは第２端部によって形成された一つの平面となる。図４に示すように、当該平面はディスプレイ間の継ぎ目をカバーすることができ、上記の方式により光ファイバの所定角度での傾斜を実現する。
【００４９】
上記の、光ファイバのある角度での傾斜の具体的実現において、光ファイバ間の接触面積が限られているので、接着強度を増すために、下記の方式を採用して光ファイバの所定角度での傾斜を実現してもよい。
【００５０】
光ファイバ装置中の各ファイバを併合する。併合されたそれぞれの光ファイバは、それらの間の接触面を介して互いに接着され、併合された各光ファイバの第１端部を動かないように固定したまま、光ファイバ装置中の各光ファイバを、その途中の任意の位置にて角度ａで折り曲げる（図５参照）。その結果、光ファイバは第１直線部分と傾斜部分とに分けられる。さらに、当該傾斜部分の任意の位置にて第１直線部分と平行する第２直線部分を折り曲げ形成する。前記の折り曲げ角度ａを適宜に選択することで、このような折り曲げを用いた二つのディスプレイの光ファイバの第２端部が一体に結合されてなる平面はディスプレイ間の継ぎ目をカバーできる。当該方式では、各光ファイバもそれぞれの接着面を介して互いに接着されるが、光ファイバを折り曲げることによって光ファイバ間の接着面積が拡大されるので、接着強度が増加する。ここで、光ファイバは強制的に直線的折り曲げをすることができず、さもなければ容易に切断されたり光ファイバの伝送性能に重大な影響を与えるので、上記の折り曲げは、光ファイバの特性を破壊しないように実行する必要がある。図面に示しているような直線的湾曲は、光ファイバ自身の特性を破壊しやすいものであるが、製図ソフトウェアでは光ファイバが緩やか且つ円滑に湾曲される効果を表現できないため、このような表現方法を採用している。実際の応用においては、光ファイバは緩やか且つ円滑な湾曲となっている。
【００５１】
ここで、本発明の実施例においては、二つのディスプレイがそれぞれ上記形式の光ファイバ装置を有してもよく、また二つのディスプレイに一体化された前記の光ファイバ装置が提供されていてもよく、それは本発明の実現に影響を与えない。
【００５２】
（二）ステップＳ３０２の具体的実現
図４又は図５に示す光ファイバ装置が提供されると、当該光ファイバ装置を用いてディスプレイに表示している画像を継ぎ目位置に平行移動して、ディスプレイ間の継ぎ目をカバーする。
【００５３】
実施例２：
実施例１では、二つのディスプレイ間の継ぎ目に対する除去しか実現できないのに対し、本実施例２によれば、光ファイバを用いて画素点間のピッチを拡張し、ピッチが拡張された画像がディスプレイ間の継ぎ目をカバーできるようにすることで、複数のディスプレイを接合する際の継ぎ目の除去を実現する（図６参照）。その具体的実現は以下の通りである。
【００５４】
（一）ステップ３０１の具体的実現：
ステップ３０１ａ：光ファイバ装置中の光ファイバの数量を確定する。その具体的実現は前記のステップ３０１１に記載している実現方式と同じである。
【００５５】
ステップ３０１ｂ：ディスプレイ間の継ぎ目の幅を確定し、当該継ぎ目の幅に基づいて光ファイバ装置中の各光ファイバの第２端部間の距離を増大させることで、当該光ファイバ装置を介して伝送された画像は、ディスプレイ間の継ぎ目をカバーできる。
【００５６】
傾斜した各光ファイバの第１端部はそれぞれそれらが対応する画素を採取し、当該画素が光ファイバの伝送部分を介して光ファイバの第２端部に伝送される（図７参照）。各光ファイバはそれぞれ継ぎ目位置に向けて傾斜させられているので、これらの光ファイバを用いて画素をそれぞれ伝送することで、画像を継ぎ目位置に向けて平行移動することを実現できる。ここで、各光ファイバは、対応する１つ又は複数の画素を採取したり、複数の光ファイバが対応する１つの画素を採取したりすることができる。その具体的実現は、光ファイバの第１端部を動かないように固定したまま、各光ファイバの第２端部間の距離の総計が取り除こうとしている継ぎ目の広さ以上となるように、各光ファイバのそれぞれを異なる角度で傾斜させることで、第２端部で形成された平面が、継ぎ目又は継ぎ目の一部をカバーできるようにする。本発明の実施例においては、各光ファイバの第２端部間の距離が同じで、その総計が取り除こうとしている継ぎ目の広さと等しくなっている。本発明の他の実施例においては、各光ファイバの第２端部間の距離が異なっていてもよく、その総計が取り除こうとしている継ぎ目の広さ以上であればよい。本発明の実施例においては、光ファイバ同士の互いに接触する部分を接着することで、光ファイバ装置中に各光ファイバの接着を実現している。
【００５７】
具体的には、均一浸透法により前記のように各光ファイバをそれぞれ異なる角度で傾斜させることを実現してもよい（図８Ａ〜図８Ｃを参照）。具体的には以下の通りである。
【００５８】
図８Ａに示す方式により一群の光ファイバの第１端部をロープ等で縛り付けた後、新たな光ファイバ又は他の均一な太さを有する材料を各光ファイバの第２端部から各光ファイバの間に嵌め込むと、元々の束となった光ファイバとは９０度の角度をなしており（図８Ｂ参照）、元々の束となった各光ファイバと新たな光ファイバ又は材料は、Ｘ軸とＹ軸方向に交互に編まれたようになり、テニスラケットのガットのような形式となる。次いで、この束となった光ファイバを接着剤浴中に入れ、光ファイバ間の隙間に接着剤を浸透させることで、各光ファイバが互いに接着されるようにする。接着剤が硬化した後、図８Ｃに示すように、取り除こうとしている継ぎ目の広さに応じて、当該束となった光ファイバを断面方向に切断することで、各光ファイバをそれぞれ異なる角度で傾斜させることを実現する。図８Ｃにおいて、破線は切断される経路を示している。
【００５９】
（二）ステップ３０２の具体的実現
ステップ３０２において、図７に示す光ファイバ装置を用いて、各画素点をそれぞれ光ファイバの第２端部を介して伝送する（図９参照）。光ファイバ装置中の各光ファイバのピッチが拡張されているので、画素の隙間はこれに伴って増大する。各画素の幅の総計を、継ぎ目の幅と同じ方向に取り除こうとする継ぎ目の幅と等しくなるようにすることで、画素間の隙間を拡張することによって継ぎ目を取り除くという目的を達成する。
【００６０】
光ファイバ装置を用いてディスプレイ間の継ぎ目を取り除く方案に加えて、光学素子を用いてディスプレイ間の継ぎ目を取り除いてもよい。図１０は、光学素子を用いてディスプレイ間の継ぎ目を取り除く本発明のフローチャートを示している。接合に際して、例えば、光学ガラスを用いて画像を平行移動することで、ディスプレイ間の継ぎ目を取り除く。
【００６１】
以下、本発明について図面を参照して詳しく説明する。
【００６２】
本発明において、接合ディスプレイ間の継ぎ目を取り除くには、下記のステップを必要とする（図１０参照）。
【００６３】
ステップＳ１００１：原始画像を分割し、分割した画像を採取する。
【００６４】
ステップＳ１００２：全反射原理を利用し、光学素子を介して、分割された画像をディスプレイ間の継ぎ目の方向に向けて平行移動して、継ぎ目を取り除く。
【００６５】
ステップＳ１００３：平行移動された各分割画像を再接合して、原始画像を還元・取得する。
【００６６】
以下、上記の各ステップの具体的実現について図面を参照して説明する。
【００６７】
実施例３：
（一）ステップ１００１の具体的実現
本発明において、より優れた画像平行移動効果を得るため、ステップ１００１では、前記光学素子における平行移動ユニットの入射端の断面形状を分割ユニットとし、分割された画像の各部分のサイズが平行移動ユニットの入射端と殆ど同じになるよう全体の原始画像を分割し、光学素子の平行移動ユニットが原始画像の分割された各部を充分取得できるようにして、平行移動の品質を高める。
【００６８】
図１１Ａ〜図１１Ｄについて説明する。図１１Ａは原始画像を示すものである。平行移動手段の入射端が帯状であれば、原始画像を図１１Ｂに示す形式に従って帯状に分割し、平行移動ユニットの入射端が正方形であれば、原始画像を図１１Ｃに示す形式に従って正方形に分割し、平行移動ユニットの入射端が円形であれば、原始画像を図１１Ｄに示す形式に従って円形に分割する。本発明の他の実施例においては、光学素子分割ユニットの入射端の他の形状に応じて、原始画像に対して他の方式での分割を行ってもよく、光学素子分割ユニットの入射端のサイズが原始画像の分割された各部のサイズと殆ど同じであることを達成すればよい。
【００６９】
（二）ステップ１００２の具体的実現
全反射原理に基づき、光学素子を利用して画像全体を平行移動する、即ち、画像をディスプレイの継ぎ目の方向に向けてある距離平行移動し、平行移動された画像によりディスプレイ間の継ぎ目１２１０をカバーすることで、継ぎ目を取り除く目的を達成する（図１２参照）。
【００７０】
本発明では、光学素子における平行移動ユニットを利用して画像を平行移動する。図１３は、図１０に記載の方法である平行移動ユニットにより画像平行移動を行うことを実現する本発明の原理図である。
【００７１】
図１３は、図１０に記載の方法である平行移動ユニットにより画像平行移動を行うことを実現する本発明の原理図である。ここで、光学レンズの各平行移動ユニットに対応する分割画像は、それぞれ平行移動ユニットの入射端を介して平行移動ユニットに進入し、当該分割画像の入射光は、全反射原理を利用して平行移動ユニットにおいて偶数回の全反射を行い、次いで、入射時と同じ方向であるが、入射位置から平行移動距離離れた位置にて平行移動ユニットの出射端から出射される。図１３に示す複数の平行移動ユニットがすべて上記方式に従って分割画像に対する平行移動を行えば、画像全体に対する全体の平行移動が実現される。
【００７２】
具体的には、当該平行移動ユニットは、全反射原理を利用して入射光に二回の全反射を行わせることで、入射光の光路を所定距離だけ平行移動して画像を平行移動するという目的を達成する。全反射原理に基づいて光線の全反射を実現するには、数式（１）を満足しなければならない。
ｎ＝ｓｉｎ９０°／ｓｉｎＣ            数式（１）
【００７３】
ここで、ｎは平行移動ユニットが採用している材料の屈折率と空気の屈折率との比であり、Ｃは臨界角、つまり、光線が高屈折率の媒体から低屈折率の媒体に出射するときの入射角であり、入射角が臨界角を上回るとき完全反射が産生する。したがって、原始画像における大半の光路が均しく全反射できるようにするためには、適当な材料を当該平行移動ユニットの媒体として選択すべきである。これより、得られる臨界角Ｃをできるだけ小さくして、原始画像の大半の光路が均しく平行移動ユニットにおいて全反射を発生させるようにする。本発明の実施例においては、光学ガラスを当該平行移動ユニットの媒体として採用しているが、本発明の他の実施例において、平行移動ユニットの媒体として他の材料を採用してもよく、本発明の実現には影響を与えない。
【００７４】
説明の便宜のため、下記の説明においては、平行移動ユニットのｎが全反射条件を満たしており、原始画像の光線が如何なる角度で入射しても全反射できるものとする。
【００７５】
原始画像の光線は、平行移動ユニットの入射端Ａを介して方向Ｃ１で平行移動ユニットに進入し、直線伝送後、第１反射面Ｂに到達する（図１３参照）。平行移動ユニットが全反射条件を満たしているので、光線が第１反射面Ｂに到達したら全反射が発生し、光線方向がＣ２に変更され、光線はＣ２方向に沿って平行移動ユニット中を直線伝送され、第２反射面Ｂ’に到達し、そして、再び全反射が発生して光線方向がＣ３に変更され、光線はＣ３方向に沿って平行移動ユニットの出射端にて平行移動ユニットから離れる。このようにして、当該光線に対する平行移動が実現される（図１３参照）。図１３から、入射光線はＣ１からＣ３まで移動される、それは、光線をｘ方向に平行移動ユニットの入射端Ａの長さＬだけ平行移動することに相当する。もし、Ｌがディスプレイのフレームより大きいのであれば、平行移動された画像はフレームを完全に覆い隠すことができ、そのようにして二つのディスプレイ間の継ぎ目を取り除くことができる。平行移動ユニットは如何なる角度で入射された光に対しても全反射を発生するので、他の方向から入射した原始画像の光線に対しても、上記のプロセスを参照して光線の平行移動を実現することができ、平行移動ユニットにより分割画像を平行移動するという目的を達成する。
【００７６】
本発明の実施例においては、全反射原理に基づき、光学素子における各平行移動ユニットを利用して画像全体を平行移動する（図１４参照）。ここで、複数の平行移動ユニットを１つの大きな光学素子とし、ディスプレイの表示画像の上方に置くことで、画像全体を平行移動することができる。各平行移動ユニットのそれぞれは、分割された画像を継ぎ目方向に向けて所定距離平行移動した後、画像全体が継ぎ目方向に所定距離平行移動されて、継ぎ目が取り除かれる。
【００７７】
本発明の実施例において、原始画像の入射光線は、平行移動ユニットにて二回の全反射を発生して平行移動が実現される。本発明の他の実施例において、入射光線が平行移動ユニットにて四回の全反射を発生して平行移動を実現してもよく（図１５参照）、或いは、平行移動ユニットにて偶数回の全反射を発生して光線の平行移動を実現してもよい。光線が全反射されるとき、光線の伝送方向が変更されるだけなので、上記の方式により光線を平行移動することは、光線品質に如何なる損害も与えない。
【００７８】
上記の実施例においては、共に入射光線をｘ軸方向に所定距離平行移動している（図１３及び図１５を参照）が、本発明の他の実施例において、入射光線をｘ軸及び／又はｙ軸に沿って平行移動して、相応する方向に画像を平行移動することを実現してもよい。その具体的実現は、以下の通り。
【００７９】
平行移動ユニットを菱形柱状体（図１６参照）に交換すれば、入射光線は、当該平行移動ユニットのｘ、ｙ、ｚ軸方向に均しく全反射を発生するができ、それによって画像はｘ軸及び／又はｙ軸に沿って平行移動される。
【００８０】
（三）ステップ１００３の具体的実現
本発明の実施例において、処理は各分割画像を再接合することに加えて、さらにフィルタ処理を介して分割画像間の分割継ぎ目を取り除く必要がある。上記のような分割平行移動の実行による分割継ぎ目は、一般的に高周波画像信号雑音であるので、本発明の実施例においては、高域遮断フィルタを利用して前記のフィルタ処理を実現している。ここで、薄膜を当該高域遮断フィルタとしてもよい。
【００８１】
上記の実施例においては、各平行移動ユニットを介して原始画像の各分割部を均しく平行移動することで、画像全体を平行移動する効果を達成している（図１２及び図１４を参照）が、平行移動ユニット間には避け得ない隙間があり、これによる分割継ぎ目の発生の可能性を考慮すると、下記の実施例４を採用し、ステップ１００１〜ステップ１００３を実現すれば、分割継ぎ目の発生を回避することができる。
【００８２】
実施例４：
（一）ステップ１００１の実現：
原始画像に対して前処理を行って、当該原始画像におけるディスプレイ継ぎ目に近い側の部分画像を切り取る。画像中の切り取られなかった部分は、ディスプレイ継ぎ目の方向に向かって、原始画像の総幅から切り取られた部分の幅を減算した距離、相応に平行移動され、切り取られた画像は当該原始画像のディスプレイの継ぎ目から離れた側に平行移動されて接合されることで、画像分割平行移動の効果を実現する。
【００８３】
図１７及び図１８を参照願う。図１７は原始画像であり、当該画像の右側は継ぎ目のある位置である。本発明の実施例においては、当該原始画像の右側の部分画像を切り取り、次いで当該画像の左側に移動して、図１８に示す画像を形成する。
【００８４】
ここで、従来技術を利用して、前記の切り取られた画像に対する平行移動を実現してもよい。その中で一番便利な方法は、表示アダプターのＶＧＡ  ＲＯＭの表示開始アドレス及び表示終了アドレスを変更することである。このようにすれば、部分的な平行移動の効果を実現することができる。例えば、原始画像はＣ０００：０−Ｃ０００：ＦＦＦフィールドに置いている。走査はアドレスＣ０００：０から開始する。表示開始アドレスに対してあるオフセットを加え、走査を、Ｃ０００：３００から開始してＣ０００：ＦＦＦに到った後、Ｃ０００：０−Ｃ０００：２ＦＦフィールドに対して引き続いて走査が行われれば、Ｃ０００：０−Ｃ０００：２ＦＦフィールドでの画像を開始端から終了端へ平行移動したことに相当し、部分的な平行移動の効果を達成できる。本発明の他の実施例においては、他の方式により切り取られた画像に対する部分的な平行移動を実現してもよい。これらの平行移動技術は当業者にとって公知技術であるので、ここでは詳しく説明しない。
【００８５】
（二）ステップ１００２の具体的実現：
全反射原理に基き、光学レンズの両側の二つの平行移動ユニットを利用して、継ぎ目に近い側の部分画像を平行移動する（図１９参照）。ステップ１００２では、以下の方式に従って画像採取を行う。
【００８６】
原始画像における継ぎ目に近い側の平行移動しようとする画像を切り取り、切り取られなかった残りの部分の画像を継ぎ目位置へ切り取られた画像の幅分だけ平行移動する。そして、切り取られた画像を画像の継ぎ目位置から離れた側に接合して、現在位置にある画像を採取する。図１７及び図１８は、それぞれ当該画像採取実行前と画像採取実行後の画像を示している。
【００８７】
本実施例においては、一体化した光学素子１２０１を用いて光路を変更している。当該光学素子１２０１の二つの側面部分は、前記の実施例における平行移動ユニットと全く同じであり、これらの側面部分を介して入射光線に対する全反射を実現することができる。当該側面部分は中間部分と一体化して結合されているので、平行移動の際の分割継ぎ目の出現を有効に回避できる。以下に、どのようにして当該光学素子１２０１を利用して画像を平行移動するのかということについて説明する。
【００８８】
仮に継ぎ目が当該原始画像の右側に位置しているとすれば、前記のような切り取りと平行移動を行った後、原始画像における継ぎ目に近い部分の右側画像は、切り取られて画像の左側Ｌ１の位置に平行移動され、切り取られなかった画像は、原始画像の総幅から切り取られた部分の幅を減算した幅だけ右側へ相応に移動されて、分割平行移動の効果を達成する（図１９参照）。図１９における光学素子１２０１は、当該分割平行移動が行われた画像を処理する。ここで、Ｌ１位置にある部分画像は、当該光学素子を介して二回の全反射が発生して、Ｌ１’の位置に平行移動され、残りの切り取られなかった画像は、そのままガラスを通過し変化しない。図１２に示すように、上記の処理が行われた後、切り取られて画像の左側Ｌ１の位置に平行移動された部分の画像には、平行移動が発生し、再び画像の右側に戻される。即ち、原始画像の総幅から切り取られた部分の幅を減算した距離だけ継ぎ目の方向に移動され、切り取り平行移動がなされていない部分の画像も上記ステップにて継ぎ目方向にある距離相応に移動されるので、上記のステップにより、原始画像全体を継ぎ目方向に切り取られた部分の幅に対応する距離だけ相応に移動することができ、当該切り取られた部分の幅が継ぎ目の幅の１／２以上であれば、二つのディスプレイの接合による継ぎ目を取り除くことができる。
【００８９】
上記では、すべて継ぎ目位置が原始画像の右側にあることを例としているが、継ぎ目位置が原始画像のそれ以外の位置にある場合に対しても、上記の実施例の実施方式を参照して実現することができる。
【００９０】
（三）ステップ１００３の具体的実現
切り取り平行移動された画像を切り取り平行移動されていない画像と合併して、原始画像を還元・取得する。
【００９１】
ここで、実施例４において、ステップ１００１は、実施例３に記載する方式を採用してもよく、光学素子１２０１の側面部分の形状に応じて原始画像における部分画像に分割を施せば、より優れた平行移動の効果を取得し得る。ステップ１００２は、光学素子１２０１の両側面部分を利用して画像を平行移動するとき、実施例３に記載する平行移動方式、例えば、偶数回の全反射によりｘ及び／又はｙ軸方向に平行移動するなどを採用してもよく、当該実施例の実現に影響を与えない。ステップ１００３に対しても、実施例３に記載するフィルタ方法を採用して、分割継ぎ目を取り除いてもよい。
【００９２】
以下、本発明が提供する装置について詳しく説明する。
【００９３】
本発明が提供する装置は、画像採取モジュール１３０１と、画像平行移動モジュール１３０２と、画像還元モジュール１３０３とを含む（図２０参照）。前記装置は、光ファイバ装置を採用してディスプレイの継ぎ目を取り除く方法による装置であってもよいし、光学素子を採用してディスプレイの継ぎ目を取り除く方法による装置であってもよい。以下、それぞれ説明する。
【００９４】
（１）光ファイバ装置を採用してディスプレイの継ぎ目を取り除く装置である場合
ここで、画像採取モジュール１３０１は、表示画像に対して画素分割を行い、画素分割が行われた画像を画像平行移動モジュール１３０２に提供するために用いられ、画像平行移動モジュール１３０２は、傾斜した光ファイバを備えた光ファイバ装置を介して、取得する画素を継ぎ目位置へ所定距離だけ平行移動して、継ぎ目をカバーするために用いられ、画像還元モジュール１３０３は、平行移動された画素を取得し、当該画素に対して画像還元を行うために用いられる。
【００９５】
本発明の実施例において、当該画像採取モジュール１３０１、画像平行移動モジュール１３０２及び画像還元モジュール１３０３は、１つの光ファイバ装置にて実現される。ここで、光ファイバの第１端部を画像採取モジュールとして利用し、傾斜した光ファイバの伝送部分を画像平行移動モジュールとして利用し、光ファイバの第２端部を画像還元モジュールとして利用する。本発明の他の実施例おいては、前記の光ファイバ装置自身を画像平行移動モジュールとして利用し、独立した装置を画像採取モジュールとして採用して表示画像に対して画素分割を行い、画素分割が行われた画像を前記の光ファイバ装置に提供するために用い、独立した装置を画像還元モジュールとして採用して前記光ファイバ装置から平行移動された各画素を取得し、これらの画素に対して画像還元を行うために用いることとしてもよい。或いは、独立した装置を画像採取モジュールとして新たに提供し、光ファイバ装置を画像平行移動モジュール及び画像還元モジュールとしてもよい。或いは、独立した装置を画像還元モジュールとして新たに提供し、光ファイバ装置を画像平行移動モジュール及び画像採取モジュールとしてもよい。或いは、図７に示す一体化された傾斜した光ファイバからなる光ファイバ装置を画像平行移動モジュールとし、画像採取モジュール及び画像還元モジュールとしてソフトウェアモジュールを採用して実現したり、光学素子を採用してこれらのモジュールを実現したりすることができ、これらのことは本発明の実現に対して影響を与えない。
【００９６】
以下、前記の光ファイバ装置について詳しく説明する。
【００９７】
本発明に係る光ファイバ装置は、一群の光ファイバを含み、各光ファイバは、すべて第１端部、第２端部及び伝送部分を含む。ここで、第１端部は、ディスプレイ画像の画素を取得するためのものであり、伝送部分は取得した画素を第２端部に伝送するためのものであり、第２端部は伝送されてきた画素を送信して画像表示を実現するためのものである。
【００９８】
当該光ファイバ装置の第１の実現方式は、以下の通りである（図４参照）。
【００９９】
光ファイバ装置の各光ファイバの第１端部は、第１端部からなる平面がディスプレイの表示している画像全体をカバーできるように、接合した二つのディスプレイと接触し、直線となる光ファイバの伝送部分間のピッチは一定に保持され、それら同士が接触を介して互いに接合されて接続され、各光ファイバの第２端部は、第２端部からなる平面が少なくとも継ぎ目をカバーできるように、継ぎ目位置に向かって傾斜させられている。
【０１００】
光ファイバ装置における各光ファイバ間の接合強度を向上させるため、以下に示す第２の実現方式（図５参照）によって当該光ファイバ装置を実現すればよい。
【０１０１】
光ファイバ装置の各光ファイバの第１端部は、第１端部からなる平面がディスプレイの表示している画像全体をカバーできるように、接合した二つのディスプレイと接触し、折れ線形式となる光ファイバの伝送部分間のピッチは一定に保持され、それら同士が接触を介して互いに接合されて接続され、各光ファイバの第２端部は、第２端部からなる平面が少なくとも継ぎ目をカバーできるように、継ぎ目位置に向かって全体として傾斜させられている。光ファイバの伝送部分を折れ線状に湾曲させることで、光ファイバ間の接触面積を増大させることができ、接合強度を向上させることができる。本発明の実施例においては、光ファイバの伝送部分を１回だけ湾曲させている。なお、本発明の他の実施例おいて、接合強度をさらに向上させるために、光ファイバをさらに湾曲させてもよいが、接合強度が向上すると共に、光ファイバの湾曲により伝送品質が低下する可能性も考慮する必要がある。本発明の他の実施例において、他の直線形式又は曲線形式によって光ファイバを湾曲させて、光ファイバ間の接触面積を増大させてもよい。
【０１０２】
複数のディスプレイを接合するときにも継ぎ目の除去を実現するために、以下に示す第３の実現方式（図７参照）によって当該光ファイバ装置を実現する。
【０１０３】
光ファイバ装置の各光ファイバの第１端部は、第１端部からなる平面がディスプレイの表示している画像全体をカバーできるように、接合した二つのディスプレイと接触し、光ファイバの伝送部分の他端の光ファイバ第２端部からなる平面が継ぎ目をカバーできるように、直線形式となる光ファイバの伝送部分間のピッチを大きくする。ここで、光ファイバ同士は接触を介して互いに接合されて接続されている。当該光ファイバ装置は、光ファイバの伝送部分間の距離を拡張して画素間隔の拡大を実現し、継ぎ目の幅を各画素の間隔に分散することで、継ぎ目を取り除くという目的を達成できる。
【０１０４】
本発明の実施例において、各ディスプレイがそれぞれ前記のような光ファイバ装置を備えていてもよく、一体化された前記のような光ファイバ装置を、それぞれが接合されたディスプレイに応用してもよい。これは、本発明の実現に対して影響を与えない。
【０１０５】
（２）光学素子によってディスプレイの継ぎ目を取り除く装置
ここで、これまで本発明が提供する方法に沿って説明してきたが、以下、本発明が提供する装置について詳しく説明する。
【０１０６】
本発明が提供する装置は、原始画像採取モジュール１３０１と、画像平行移動モジュール１３０２と、画像還元モジュール１３０３とを含む（図２０参照）。原始画像採取モジュール１３０１は、表示画像を分割し、分割された原始画像の各部を採取して画像平行移動モジュールに伝送するために用いられ、画像平行移動モジュール１３０２は、分割された原始画像をディスプレイ間の継ぎ目方向に平行移動して、平行移動された画像によって継ぎ目をカバーするために用いられ、画像還元モジュール１３０３は、平行移動された各部の画像を合併し、原始画像を還元・取得するために用いられる。
【０１０７】
以下、図面を参照しつつ画像平行移動モジュール１３０２について説明する。
【０１０８】
実施例５
当該実施例においては、両ディスプレイの大きさと形状が同じで、フレーム幅が同じで、両辺から中間に平行移動する距離も同じであり、画像平行移動モジュール１３０２は、複数の平行移動ユニットを有する光学素子である。当該光学素子は、少なくとも光線を継ぎ目方向へ継ぎ目幅の１／２の距離だけ移動することができる。平行移動ユニットの形状は、図１３に示す菱形状に加工されてもよい。当該菱形の鋭角が４５度で、菱形の形状は二つの直角二等辺三角形が接合されてなる形状であることが好ましい。ここで、菱形の辺の長さをＬとすると、当該Ｌは、継ぎ目の幅の１／２以上とする。本発明の他の実施例において、接合ディスプレイのフレームの幅が異なる可能性があるので、菱形の辺の長さは、当該平行移動ユニットが画像を平行移動する距離と等しい。
【０１０９】
全反射原理に基づいて完全反射を達成するには、ｎはｎ＝ｓｉｎ９０°／ｓｉｎＣを満足する必要がある。ここで、ｎはガラスの屈折率と空気の屈折率との比である。したがって、適当な材料を当該平行移動ユニットの媒体として選択し、当該媒体のｎ値は、当該ｎに基づいて計算された臨界角Ｃが少なくとも予め定めた入射角より小さくなるようにすべきである。本発明の実施例においては、当該入射角が４５度であるが、本発明の他の実施例においては他の如何なる角度であってもよい。
【０１１０】
（図１３参照）当該菱形鏡は、二つの完全反射面ＢとＢ’を有し、これらの反射面による全反射を利用すれば、光線を位置：ＡからＡ’に移動することができ、それはＬの距離だけ平行移動することに相当する。Ｌがディスプレイのフレームより大きいのであれば、フレームを完全に覆い隠すことができ、両ディスプレイ間の継ぎ目が取り除かれる。
【０１１１】
図１３に示す平行移動ユニットを組み合わせて前記の画像平行移動モジュール１３０２を構成する（図１４参照）。
【０１１２】
本実施例５で述べた画像平行移動モジュールに応じて、画像採取モジュールは、原始画像全体を平行移動ユニットの入射端の形状毎に分割し、当該分割結果を利用して各分割部分を画像平行移動モジュールにおける相応の平行移動ユニットに入射することに用いられる。
【０１１３】
本実施例５で述べた画像平行移動モジュールに応じて、画像還元モジュールは、平行移動された各分割部分を再び合併して、原始画像に還元することに用いられる。
【０１１４】
ここで、ソフトウェアモジュールによって画像採取モジュールを実現したり、光学素子によって画像採取モジュール及び画像還元モジュールを実現したりすることができ、それは本発明の実現に影響を与えない。
【０１１５】
実施例６：
本実施例においては、平行移動ユニット間の分割継ぎ目による画像品質に対する影響を回避するため、画像平行移動モジュール１３０２として一体化された光学素子を採用している。当該一体化された光学素子の両側面部分は、それぞれ実施例５で述べられた平行移動ユニットであり、当該平行移動ユニットによって、前処理にて分割され継ぎ目から離れた側に平行移動された部分画像を、継ぎ目位置に平行移動する。当該一体化された光学素子の他の部分は、原始画像において分割・平行移動されていない部分の画像を、そのまま画像還元モジュール１３０３に伝送するために用いられる。ここで、当該分割・平行移動されていない部分は、既に前処理にて継ぎ目位置へ所定距離だけ移動されている。前処理にて分割・平行移動された部分の画像は、平行移動手段を介して継ぎ目位置に平行移動され、且つ、分割・平行移動されていない部分は、既に前処理にて継ぎ目位置へ所定距離だけ移動されているので、当該一体化された光学素子を利用すれば、画像全体を継ぎ目位置へ平行移動するという効果を達成できる。図１７は、前記の一体化された光学素子の一つの具体的実施例である。ここで、当該一体化された光学素子の両側面部分は平行移動手段であり、当該平行移動手段は、実施例５で述べた平行移動手段と全く同じである。
【０１１６】
本実施例６に係る画像平行移動モジュールに応じて、画像採取モジュールが原始画像において継ぎ目に近い部分の画像を切り取り、原始画像において切り取られなかった部分の画像を継ぎ目部分へ切り取られた画像の幅だけ移動し、そして、切り取られた画像を原始画像の継ぎ目から離れた側に移動して接合することで、切り取り・平行移動効果を達成する。本発明の実施例においては、パソコンソフトウェアモジュールを当該画像分割手段として採用している。ここで、ソフトウェアモジュールによって画像採取モジュール及び画像還元モジュールをそれぞれ実現したり、光学素子によってこれらのモジュールを実現したりすることができ、それは本発明の実現に影響を与えない。
【０１１７】
本実施例６に係る画像平行移動モジュールに応じて、画像還元モジュールは、平行移動された切り取られた画像を切り取られなかった画像と合併するために用いられる。
【０１１８】
上述した実施例５及び実施例６においては、画像平行移動モジュールにおける光学素子の媒体材料及び形状を適当に選択するが、選択された材料及び形状によりできるだけ小さい臨界角Ｃを取得できるようにすべきであり、大部分の入射光線が全反射を発生できるようにする。
【０１１９】
図１３に示した形状の平行移動手段以外に、本発明の他の実施例においては、図１５及び図１６に示した形状の平行移動手段を採用してもよい。ここで、図１５に示した平行移動手段は、図１３に示した平行移動手段より厚くなり、入射光はその中で偶数回の全反射を発生し出射端にて当該手段から離れて、平行移動という効果を達成する。当該手段を採用すれば、平行移動の距離を増加することができる。図１６に示した平行移動手段は斜め菱形の柱状体であり、入射光線を少なくとも二つの方向に平行移動することができる。
【０１２０】
本発明の他の実施例においては、平行移動手段として他の形状の素子を採用してもよく、当該素子が全反射原理により光線を平行移動するのであれば、それらはすべて本発明の保護範囲内に入ると認定されるべきである。
【０１２１】
本発明において、第５及び第６実施例に基づいて、前記の画像還元モジュール１３０３は、フィルタ処理モジュールをさらに含んでいてもよく、それは、併合した画像にフィルタ処理を施し、分割画像を互いに併合する際に産生した分割継ぎ目を取り除くために用いられる。当該フィルタ処理モジュールは、例えば、高域遮断フィルタであってもよく、分割画像間の分割継ぎ目を取り除くために用いられ、一般的には、当該高域遮断フィルタとして薄膜を採用する。
【０１２２】
以下、具体的な応用に合わせて本発明を詳しく説明する。
【０１２３】
１．ノート型パソコンのディスプレイ
本実施例において、ノート型パソコンの体積は制限されているので、複数のディスプレイを接合して大きい表示面積を取得する必要がある。図２１Ｃに示すように、ノート型パソコンの二つのディスプレイは、平時には折り畳まれており、使用するときのみ二つのディスプレイを図２１Ｄのように開けて、図２１Ａのように併合する。図２１Ａに示すように、ディスプレイにはそれ自身のエッジがあるので、二つのディスプレイ間に濃い色で表した継ぎ目がある。ここで、ノート型パソコンのディスプレイの構造については詳しく説明せず、主に継ぎ目を如何にして取り除くのかということについて説明する。
【０１２４】
ＬＣＤのディスプレイを例とすると、ＬＣＤスクリーンの表面には、極めて薄い光ファイバ層又は極めて薄いガラス板が備えられている。
【０１２５】
ＬＣＤスクリーンの表面に極めて薄い光ファイバ層を備えている場合においては、光ファイバ層の下方がＬＣＤスクリーンに密接する。光ファイバ層の形状は図４に示すようであり、両辺の光ファイバが共に所定の角度で継ぎ目位置に向かって傾斜されており、画像全体を５ミリ程度平行移動する。すべての光ファイバは一体となるよう近寄せられている。光ファイバは４Ｘドットマトリクスの大きさの直径、それは約０．５ミリである、を選択した。光ファイバは透明な接合材料によって接合されており、ディスプレイの輝度を高める。画像は、当該光ファイバ層により伝送された後、図２１Ｂに示す効果を達成して、継ぎ目を取り除くことができる。
【０１２６】
ＬＣＤスクリーンの表面に極めて薄いガラス板を備える場合においては、ガラスの下方は液晶材料となっており、ガラス板の上方は、平行移動ガラスユニットが接合されてなるガラス層でさらにカバーされる。ガラスの厚さに対する選択は、ＬＣＤスクリーンの継ぎ目の幅に応じて決められる。ＬＣＤスクリーン自身のエッジ幅が５ミリであれば、継ぎ目の幅は１０ミリとなるので、平行移動ガラス層の画像を移動すべき距離は５ミリである。そこで、ガラス層の厚さは一般的に５ミリ程度であると確定できる。これは、目前の最小のＬＣＤエッジ幅が５ミリ程度であるからである。平行移動ガラス層の形状は、図１４又は図１９に示すようであり、二つのＬＣＤ上のガラス層は対称に置かれ、互いに対向している。このようにして、二つのディスプレイ上の画像は、それぞれ中間の継ぎ目方向へ５ミリ程度だけ移動され、継ぎ目が最小の程度まで縮小される。継ぎ目の画像に対する影響を低減するため、平行移動ガラス層の上方に透光薄膜をさらに置いてもよい。
【０１２７】
図面から分かるように、図２１Ｃはノート型パソコンの二つのディスプレイが折り畳まれた状況であり、その体積はかなり小さい。図２１Ｄは開ける過程を示しており、図２１Ａは二つのディスプレイが開けられた状況を示し、真ん中に極めて明瞭な継ぎ目がある。図２１Ｂは、平行移動ガラス層が付け加えられて、二つのディスプレイの画像が共に中間方向へ所定距離だけ平行移動された効果を示している。
【０１２８】
２．中・大型のディスプレイ装置
中・大型のディスプレイ装置では、図２２に示すような２×２のＬＣＤスクリーン併合を採用してディスプレイの接合を実現してもよい。ディスプレイ間の継ぎ目を取り除くには、図７に示す方式を採用し、光ファイバ層中の光ファイバの一端を緊密に近寄せる。その形状や大きさは、接合待ちＬＣＤ表示面積部分のサイズと一致するようにする。その対角線は１７インチであり、長さと幅はそれぞれ３０５ミリと２３０ミリである。他端は、適当な取得しようとするスクリーンのサイズとなるようにほぼ均一に外へ拡張されており、当該光ファイバ層中の光ファイバの他端が形成する面積が、４つのＬＣＤスクリーン及びそのフレームをカバーできるようにする。本実施例においては、４つの１７インチのＬＣＤスクリーンを用いて接合し、フレームが最小のＬＣＤディスプレイを採用している。フレーム幅が５ミリであれば、最終的に接合されたディスプレイの総計サイズは以下の通りである。長さの計算：２×（３０５＋２×５）＝２×３１５＝６３０ミリ、幅の計算：２×（２３０＋２×５）＝２×２４０＝４８０ミリとなる。直径が０．５ミリの光ファイバを採用するならば、一つのＬＣＤスクリーンには、総計：６１０×４６０個の光ファイバを採用して構成され、４つの接合では、総計して６１０×４６０の光ファイバを４グループ採用する。そして、浸透プロセスにて接合剤を光ファイバの隙間に浸透させて、接合剤が乾燥成形された後、適当な厚さに切断される。図２３に示したものは、本発明を使用して大型表示デバイスのディスプレイを接合した効果を示した模式図である。他の実施例においては、光ファイバセットの他端は、不均一且つピッチが次第に大きく或いは小さくなるように外へ拡張するものであってもよい。
【０１２９】
３．ＰＤＡ機能付け携帯電話
現在、移動通信の発展及びデジタル電話の迅速な普及につれて、移動装置の計算能力が向上しつつあり、携帯電話にはＰＤＡの機能を含むものもあるが、ＰＤＡ機能付き携帯電話のディスプレイのサイズは小さいので、入力の不便を招来している。そこで、目前では、ノート型パソコンのような移動ビジネス装置に取って代わることができていない。その主な矛盾は、携帯性と使用快適性との衝突にある。もし、ＰＤＡ機能付き携帯電話が二つの同じサイズのディスプレイを備えるならば、移動電話として使用する場合、図２４のように当該携帯電話が折り畳まれた状態になり、その中の一ディスプレイのみを使用する一方、ＰＤＡ又は文字入力操作を行う、或いは文字や画像を見る場合には、図２５のように二つのディスプレイを接合して大きいディスプレイとなることができる。嵌込式の移動プロセッサーの計算能力が日増しに強大になっているので、マイクロメモリの記憶容量も大きく増えてきているので、当該ＰＤＡ機能付き携帯電話を介して目前のノート型パソコンと類似した機能を実現することには問題がない。同様に、図２５Ａに示すように、本実施例にてディスプレイを接合する際に、ディスプレイ間に継ぎ目があるが、当該実施例において、前記の実施例４のように画像の平行移動を実現して継ぎ目を取り除くことで、図２５Ｂに示す効果を取得する。
【０１３０】
前記の効果を達成するには、二つのディスプレイの画像に対して同じように分割処理を行う必要があり、図２６に示すように、ここではディスプレイのエッジ幅が５ミリであるから、平行移動ガラスが平行移動すべき距離も５ミリである。左側のディスプレイの左側にある幅が５ミリの画像は、「ディスプレイ長さ−５ミリ」の距離だけ平行移動されるべきであるので、前処理のプロセスでは、まず右側にある幅が５ミリの画像を左側に移動し、そして平行移動ガラスを介して平行移動する。右側ディスプレイの動作は左側と類似し、方向を逆にするだけで済む。当該平行移動ガラスの上方には、さらに１つの薄膜層が覆蓋されて、画像を還元するために用いられる。
【０１３１】
図２６では、ＬＣＤディスプレイと平行移動ガラスが個別のものであり、ＬＣＤスクリーンの画像が平行移動ガラスに伝送される際には損耗があるので、ＬＣＤ液晶スクリーンと平行移動ガラスを一緒にすることを考えてもよい、つまり、ＬＣＤ液晶スクリーン表面のガラスの形状をそのまま平行移動ガラスの形状とし、このようにすれば実装も簡略化され、図２７に示すようになる。
【０１３２】
ここまで説明してきたものは、本発明の好ましい実施例に過ぎず、本発明を限定するものではない。本発明の精神と原則内にあるのであれば、如何なる補正、同等交換、改良であっても、本発明の保護範囲内に含まれべきである。
【図面の簡単な説明】
【０１３３】
【図１Ａ】従来技術１の模式図である。
【図１Ｂ】従来技術１の模式図である。
【図１Ｃ】従来技術１の模式図である。
【図２Ａ】従来技術２の模式図である。
【図２Ｂ】従来技術２の模式図である。
【図３】本発明の光ファイバ装置を用いてディスプレイの継ぎ目を取り除く方法のフローチャートである。
【図４】本発明が図３に示す方法を実現する一実施例を提供する光ファイバ装置の模式図である。
【図５】本発明が図３に示す方法を実現する一実施例を提供する光ファイバ装置の模式図である。
【図６】本発明が図３に示す方法を実現する一実施例において画像分割平行移動を実現する原理模式図である。
【図７】本発明が図３に示す方法を実現する一実施例を提供する光ファイバ装置の模式図である。
【図８Ａ】本発明が図３に示す方法を実現する一実施例を提供する光ファイバ傾斜を実現する方式の模式図である。
【図８Ｂ】本発明が図３に示す方法を実現する一実施例を提供する光ファイバ傾斜を実現する方式の模式図である。
【図８Ｃ】本発明が図３に示す方法を実現する一実施例を提供する光ファイバ傾斜を実現する方式の模式図である。
【図９】本発明が図３に示す方法を実現する一実施例において画素分割平行移動を実現する模式図である。
【図１０】本発明が光学素子を用いてディスプレイ継ぎ目を取り除く方法のフローチャートである。
【図１１Ａ】本発明が図１０に示す方法を実現する一実施例において画像分割を実現する模式図である。
【図１１Ｂ】本発明が図１０に示す方法を実現する一実施例において画像分割を実現する模式図である。
【図１１Ｃ】本発明が図１０に示す方法を実現する一実施例において画像分割を実現する模式図である。
【図１１Ｄ】本発明が図１０に示す方法を実現する一実施例において画像分割を実現する模式図である。
【図１２】本発明が図１０に示す方法を実現する一実施例において画像平行移動を実現する模式図である。
【図１３】本発明が図１０に示す方法を実現する、平行移動手段によって画像を平行移動する原理図である。
【図１４】本発明が図１０に示す方法を実現する一実施例を提供する画像平行移動モジュールの模式図である。
【図１５】本発明が図１０に示す方法を実現する一実施例における平行移動手段の模式図である。
【図１６】本発明が図１０に示す方法を実現する一実施例における平行移動手段の模式図である。
【図１７】本発明が図１０に示す方法を実現する一実施例おける画像分割と平行移動を行った際の効果を示す図である。
【図１８】本発明が図１０に示す方法を実現する一実施例おける画像分割と平行移動を行った際の効果を示す図である。
【図１９】本発明が図１０に示す方法を実現する一実施例における画像平行移動を実現する模式図である。
【図２０】本発明が提供する装置のブロックを示す図である。
【図２１Ａ】本発明をノート型パソコンに応用したときの模式図である。
【図２１Ｂ】本発明をノート型パソコンに応用したときの模式図である。
【図２１Ｃ】本発明をノート型パソコンに応用したときの模式図である。
【図２１Ｄ】本発明をノート型パソコンに応用したときの模式図である。
【図２２】本発明の中型・大型表示装置のディスプレイを接合した模式図である。
【図２３】本発明の中型・大型表示装置のディスプレイを接合した際の効果を示す図である。
【図２４】本発明をＰＤＡに応用したときの模式図である。
【図２５】本発明をＰＤＡに応用したときの模式図である。
【図２６】本発明をＬＣＤディスプレイに応用したときの模式図である。
【図２７】本発明をＬＣＤディスプレイに応用したときの模式図である。
【図１Ａ】
2008521035.tif 000003
【図１Ｂ】
2008521035.tif 000004
【図１Ｃ】
2008521035.tif 000005
【図２Ａ】
2008521035.tif 000006
【図２Ｂ】
2008521035.tif 000007
【図３】
2008521035.tif 000008
【図４】
2008521035.tif 000009
【図５】
2008521035.tif 000010
【図６】
2008521035.tif 000011
【図７】
2008521035.tif 000012
【図８Ａ】
2008521035.tif 000013
【図８Ｂ】
2008521035.tif 000014
【図８Ｃ】
2008521035.tif 000015
【図９】
2008521035.tif 000016
【図１０】
2008521035.tif 000017
【図１１Ａ】
2008521035.tif 000018
【図１１Ｂ】
2008521035.tif 000019
【図１１Ｃ】
2008521035.tif 000020
【図１１Ｄ】
2008521035.tif 000021
【図１２】
2008521035.tif 000022
【図１３】
2008521035.tif 000023
【図１４】
2008521035.tif 000024
【図１５】
2008521035.tif 000025
【図１６】
2008521035.tif 000026
【図１７】
2008521035.tif 000027
【図１８】
2008521035.tif 000028
【図１９】
2008521035.tif 000029
【図２０】
2008521035.tif 000030
【図２１Ａ】
2008521035.tif 000031
【図２１Ｂ】
2008521035.tif 000032
【図２１Ｃ】
2008521035.tif 000033
【図２１Ｄ】
2008521035.tif 000034
【図２２】
2008521035.tif 000035
【図２３】
2008521035.tif 000036
【図２４】
2008521035.tif 000037
【図２５】
2008521035.tif 000038
【図２６】
2008521035.tif 000039
【図２７】
2008521035.tif 000040
【手続補正書】
【提出日】平成19年7月13日(2007.7.13)
【手続補正１】
【補正対象書類名】明細書
【補正対象項目名】００１８
【補正方法】変更
【補正の内容】
【００１８】
方案３：
図２Ｂに示すように、大スクリーン応用の方面には、中国特許出願０１２１５９００．Ｘ号のような従来技術がある。光ファイバ伝送拡大表示の装置を採用しており、採光口に導光ファイバ３を採用し、他端が円弧状発光ヘッド２内に延びて各光ファイバにて伝送された画像を拡大するものである。ここで、１は支持フレーム、４は光ファイバ支持体であり、中間部分の光ファイバ間を浮いた状態にしている。当該方法は、画像を拡大するある種の表示に適用されるが、体積が大きい。
【手続補正２】
【補正対象書類名】明細書
【補正対象項目名】００８８
【補正方法】変更
【補正の内容】
【００８８】
仮に継ぎ目が当該原始画像の右側に位置しているとすれば、前記のような切り取りと平行移動を行った後、原始画像における継ぎ目に近い部分の右側画像は、切り取られて画像の左側Ｌ１の位置に平行移動され、切り取られなかった画像は、原始画像の総幅から切り取られた部分の幅を減算した幅だけ右側へ相応に移動されて、分割平行移動の効果を達成する（図１９参照）。図１９における光学素子１２０１は、当該分割平行移動が行われた画像を処理する。ここで、Ｌ１位置にある部分画像は、当該光学素子を介して二回の全反射が発生して、Ｌ１’の位置に平行移動され、残りの切り取られなかった画像は、そのままガラスを通過し変化しない。図１９に示すように、上記の処理が行われた後、切り取られて画像の左側Ｌ１の位置に平行移動された部分の画像には、平行移動が発生し、再び画像の右側に戻される。即ち、原始画像の総幅から切り取られた部分の幅を減算した距離だけ継ぎ目の方向に移動され、切り取り平行移動がなされていない部分の画像も上記ステップにて継ぎ目方向にある距離相応に移動されるので、上記のステップにより、原始画像全体を継ぎ目方向に切り取られた部分の幅に対応する距離だけ相応に移動することができ、当該切り取られた部分の幅が継ぎ目の幅の１／２以上であれば、二つのディスプレイの接合による継ぎ目を取り除くことができる。
【手続補正３】
【補正対象書類名】明細書
【補正対象項目名】０１１５
【補正方法】変更
【補正の内容】
【０１１５】
実施例６：
本実施例においては、平行移動ユニット間の分割継ぎ目による画像品質に対する影響を回避するため、画像平行移動モジュール１３０２として一体化された光学素子を採用している。当該一体化された光学素子の両側面部分は、それぞれ実施例５で述べられた平行移動ユニットであり、当該平行移動ユニットによって、前処理にて分割され継ぎ目から離れた側に平行移動された部分画像を、継ぎ目位置に平行移動する。当該一体化された光学素子の他の部分は、原始画像において分割・平行移動されていない部分の画像を、そのまま画像還元モジュール１３０３に伝送するために用いられる。ここで、当該分割・平行移動されていない部分は、既に前処理にて継ぎ目位置へ所定距離だけ移動されている。前処理にて分割・平行移動された部分の画像は、平行移動手段を介して継ぎ目位置に平行移動され、且つ、分割・平行移動されていない部分は、既に前処理にて継ぎ目位置へ所定距離だけ移動されているので、当該一体化された光学素子を利用すれば、画像全体を継ぎ目位置へ平行移動するという効果を達成できる。図１９は、前記の一体化された光学素子の一つの具体的実施例である。ここで、当該一体化された光学素子の両側面部分は平行移動手段であり、当該平行移動手段は、実施例５で述べた平行移動手段と全く同じである。
【手続補正４】
【補正対象書類名】図面
【補正対象項目名】図１３
【補正方法】変更
【補正の内容】
【図１３】
2008521035.tif 000041
【手続補正５】
【補正対象書類名】図面
【補正対象項目名】図２３
【補正方法】変更
【補正の内容】
【図２３】
2008521035.tif 000042
【手続補正６】
【補正対象書類名】図面
【補正対象項目名】図２５
【補正方法】変更
【補正の内容】
【図２５】
2008521035.tif 000043
【国際調査報告】
2008521035.tif 000044
2008521035.tif 000045
2008521035.tif 000046
2008521035.tif 000047